(57)【特許請求の範囲】
【請求項１】
パチンコ台の下皿の下方にホッパを設け、下皿から排出される玉をホッパで受けて通路ユニットへ移送するようにした貯留玉受皿において、
前記ホッパは、前記通路ユニットに連通する玉受け通路部と、
下皿から排出され、前記玉受け通路部で受けた玉を貯留する貯留部とを有し、
前記玉受け通路部は、前記貯留部とともに玉を貯留する貯留位置と、前記通路ユニットと連通する非貯留位置の間で移動可能な移動手段と、
前記玉受け通路部の外周縁に設けた、前記玉受け通路部上での玉量を所定量にする調節壁と、
前記貯留部は、前記玉受け通路部から溢れた玉を受ける玉受け溝部と、を備えていることを特徴とする貯留玉受皿。
【発明の詳細な説明】
【技術分野】
【０００１】
本発明は、パチンコ台の下皿に排出された当り玉を一時貯留する貯留玉受皿に関する。
【背景技術】
【０００２】
従来、パチンコ店では計数機を店内要所に配置し、遊技客が獲得した当り玉を箱で計数機へ運んで計数させるようにしていたが、近時、個別のパチンコ台ごとに玉計数機を設置する提案がなされている。これは、パチンコ台の下皿に貯留された当り玉を一旦ホッパに受けて、センサ部へ転送するものである。
例えば、特許第３５７７８５０号公報に提案されたものは、下皿の下方にホッパを設け、台間ユニットとホッパ間をセンサを設置した計数通路ユニットで接続している。下皿に設けられたシャッタを開くことにより下皿からホッパへ排出された当り玉は、計数通路ユニットへ案内されて内部のセンサで計数されたあと、台間ユニットを経てパチンコ台の内部機構へ戻される。
【０００３】
これにより、遊技客は当り玉をパチンコ台から離れた計数機まで運ばなくても、遊技場所のパチンコ台前に居たままで計数を受けることができる。計数結果は例えば預かり玉として表示されたり、台間ユニットに差し込まれた顧客カードに記録される。
また、ホッパは浅い皿形状をしているので、計数通路で玉詰まりや故障が生じたときには、限定された量ではあるが当り玉を一時的に貯留することができる。
【特許文献１】特許第３５７７８５０号公報
【発明の開示】
【発明が解決しようとする課題】
【０００４】
ところで、遊技客のなかには獲得した当り玉を誇示したいという欲求をもつ者も多いが、当り玉を箱に移して計数機まで運ぶシステムの場合には、当り玉で埋まった箱を足元に積み上げて誇示することができた。
しかし、上記従来のホッパでは玉計数機に玉詰まりや故障が生じたときに浅いホッパに一時的に貯留されることはあるが、通常は下皿から排出された当り玉は直ちに計数通路ユニットへ導かれて計数され、ホッパに貯留されることはない。
このため、遊技客まわりにある当り玉はパチンコ台の比較的浅い上皿および下皿に貯留されるわずかな量しかなく、獲得した当り玉を誇示したいという欲求をもつ遊技客にとっては十分な満足を得る機会が与えられないという問題が生じる。
【０００５】
したがって本発明は、上記の問題に鑑み、遊技客の好みに応じて相当量の当り玉（以下、単に玉とも言う）を貯留可能とするとともに、必要時には直ちに計数通路ユニット等へ排出できるようにした貯留玉受皿を提供することを目的とする。
【課題を解決するための手段】
【０００６】
パチンコ台の下皿の下方にホッパを設け、下皿から排出される玉をホッパで受けて通路ユニットへ移送するようにした貯留玉受皿において、前記ホッパは、前記通路ユニットに連通する玉受け通路部と、下皿から排出され、前記玉受け通路部で受けた玉を貯留する貯留部とを有し、前記玉受け通路部は、前記貯留部とともに玉を貯留する貯留位置と、前記通路ユニットと連通する非貯留位置の間で移動可能な移動手段と、前記玉受け通路部の外周縁に設けた、前記玉受け通路部上での玉量を所定量にする調節壁と、前記貯留部は、前記玉受け通路部から溢れた玉を受ける玉受け溝部と、を備えていることを特徴とする。
【発明の効果】
【０００７】
本発明によれば、玉受け通路部とともに貯留部が玉を貯留する貯留位置と、玉受け通路部が計数通路ユニットと連通する非貯留位置の間で移動可能であるから、玉受け通路とともに、貯留部を貯留位置とすることにより下皿に加えてホッパの貯留部にも相当量の玉を貯留して、当り玉を誇示したいという欲求を満足させることができるとともに、必要に応じて当り玉を計数したいときなどには、玉受け通路部を非貯留位置とすることにより速やかに貯留部内の玉を通路ユニットへ送り込むことができる。
【０００８】
また、貯留部に貯留された玉を計数する際の、前記玉受け通路部を下降位置から上昇位置へ移動させる動作において、玉受け通路上の玉重量が上昇位置へ移動させる動作に及ぼす影響を、玉受け通路部の外周縁に設けた調節壁で保持される所定の数量、すなわち所定の重量とすることで、前記玉受け通路部を上昇位置へ移動させる動作への影響を抑えることができる。
さらに、玉受け通路部が上昇位置の場合には、玉受け通路部上から溢れた玉を玉受け溝部で受けて貯留部で貯留することで、貯留部外への玉の落下が防止できる。
【発明を実施するための最良の形態】
【０００９】
次に、本発明の実施の形態について説明する。
図１は実施の形態にかかる貯留玉受皿が取り付けられたパチンコ台を示す図、図２、図３はそのパチンコ台貯留玉受皿部分を拡大して示す外観斜視図である。
パチンコ台８０は前面下部に上皿８１とその下に下皿８２を備えている。
貯留玉受皿１は、パチンコ台の前面において下皿８２の下方に配置され、下皿８２から排出される玉を受けるホッパ２を備えて、内部に不図示のセンサを備える計数通路ユニット３を介して台間ユニット８５に接続されている。ホッパ２と計数通路ユニット３とでパチンコ台玉計数機が構成されている。
【００１０】
ホッパ２は、ケース５の図中右側にパチンコ台８０の前面に沿って左右方向に延びる玉受け通路部１０、当該玉受け通路部１０の手前側ケース５の側壁６の内壁６ａ囲まれた前記玉受け通路部１０と同様に左右に延びる貯留部２０とが設けられている。
ホッパ２の左右方向一端（図では左端）において、前記玉受け通路部１０は貯留部２０よりも短くオフセットしており、このオフセット部分における貯留部２０とパチンコ台８０との間のスペースに、計数通路ユニット３が配置されている。
【００１１】
玉受け通路部１０は、パチンコ台８０側の全長にわたって複数本のレール１２を一部に有する、図中右端から左端に向けて低くなるように傾斜した通路部１１と、当該通路部１１の手前に上面が水平の棚部１６と、前記レール１２の計数通路ユニット３側を除く、前記通路部１１と棚部１６の外周に調節壁１３とを備え、通路部１１に有したレール１２の左端の側壁には計数通路ユニット３の内部通路と連通する開口１４が設けられている。通路部１１及びレール１２の上端の高さは右端において棚部１６の上面と同レベルかわずかに低く設定されている。
本実施の形態ではレール１２は３本で、各レール１２の間隔は玉の径よりも小さく設定され、玉はいずれか２本のレール上を左端へ向かって転動するようになっており、２組の転動路が形成されていることになる。
なお、２組の転動路に対応して、計数通路ユニット３内も２組の図示しない玉通路が設けられ、各玉通路に玉の通過を検知するセンサが設置されている。
【００１２】
図６は実施の形態にかかる玉受け通路部１０が、下降位置で玉Ｐを貯留している状態を示す断面図である。
図７は実施の形態にかかる玉受け通路部１０が、上昇位置で下皿８２からの玉Ｐを受けて計数ユニット３と連通して計数可能な状態を示す断面図である。
図８は実施の形態にかかる玉受け通路部１０を図６での下降位置から図７の上昇位置に移動させた直後の状態を示す断面図である。
【００１３】
ホッパの貯留部２０は、図７に示すように、玉受け通路部１０側へ向かって低くなるように傾斜している当該貯留部の底面を形成する底面壁３０と、図３に示すように、玉受け通路部の調節壁１３の左右方向の隣接する箇所に、玉受け通路部に設けた調節壁１３から溢れた玉を受けるパチンコ台８０側から底面壁３０側を低く傾斜した玉受け溝部２１ａ、２１ｂとを備える。
そして、後述する上下昇降装置により玉受け通路部１０に設けた調節壁１３を、図２、図６に示すように底面壁３０の上面よりも低い状態とした降下位置と、図３、図７、図８に示すように玉受け通路部１０の通路部１１に有したレール１２と、計数通路ユニット３の内部通路とが連通する上昇位置との間で上下昇降可能としている。なお、図２、図３には簡単のため台間ユニットを省略している。
【００１４】
このことにより、玉受け通路部１０が下降位置の時は、前記底面壁３０とともに貯留部２０を形成することとなる。
また、玉受け通路部１０の上昇位置の時には、玉受け通路部の通路部１１に有したレール１２と計数ユニット３の内部通路が連通することにより、玉受け通路部１０上の玉を計数可能とする。
【００１５】
以下、玉受け通路部１０おける上下昇降装置について詳細に説明する。
まず、上下昇降装置５０が装備される対象部位について説明する。
図４、図５は貯留部２０及び玉受け通路部１０の長手方向の断面を示す縦断面図である。
図９はケース５及び、玉受け通路部１０を取り外してホッパ２内の上下昇降装置５０を正面斜め上から見た斜視図である。
図１０は、玉受け通路部１０の裏面構成を示す斜視図である。
【００１６】
ホッパ２のケース５は樹脂製で、底ベース板４５を結合して形成されている。
ケース５は側壁６と、貯留部２０を形成する側壁の内壁６ａと、当該内壁６ａの高さ方向の略中間位置に貯留部２０の底部を形成し、且つ玉受け通路部１０の外周に対応した玉受け通路部１０が貫通した状態で上下昇降を可能とした底面壁３０とを一体に形成している。
【００１７】
玉受け通路部１０は樹脂製で、レール１２と、通路部１１及び棚部１６とから成り、前記貯留部２０と隣接する、前記玉受け通路部１０の縁に、前記棚部１６の底面からの高さを略玉の直径と同じ高さの調節壁１３を有している。
また、玉受け通路部１０の側壁１５は、調節壁１３を兼ねている。さらに、玉受け通路部１０の上昇位置において、玉受け通路部１０の側壁１５の下端部は、上昇位置において底面壁３０の面よりも下方となる長さである。そして、側壁１５には、底面壁３０に一体に形成されたガイドピン（不図示）に沿ってスライド可能なガイド溝４２が上下方向に設けられている。
【００１８】
底ベース板４５は底壁４６を有し、底壁４６上には玉受け通路部１０の下方対応した位置の前後左右に離間させた４箇所に、底壁４６のパチンコ台８０側に各ブロック部４８を膨出させている。各ブロック部４８は前後方向に垂直に且つ、左右方向に平行に配置されてあり、各ブロック部４８の端面にピン穴４９をそれぞれ備えている。
玉受け通路部１０の裏面には、前記各ブロック部４８と対応する４箇所の前後左右方向の位置に、ピン３６ａ、３６ｂ、３６ｃ、３６ｄ（後掲の図１０参照）を備えた各支持ブロック部３５が一体成型されている。
【００１９】
図５、図９、図１０を参照して、上下昇降装置５０は以下のように構成されている。
両端にピン５１、５２を備える同一形状のリンクアームＡ、Ｂがそれぞれのピン５２をブロック部４８のピン穴４９で支持されて同方向に傾斜して設けられるとともに、それぞれ他方のピン５１を玉受け通路部１０の裏面に一体に形成されたスライドガイド３８（３８ａ、３８ｂ、３８ｃ、３８ｄ）に係合させてある。
【００２０】
リンクアームＡの両端のピン５１、５２間の中央には、貫通穴５４が設けられ、リンクアームＣと供に連結軸５７が貫通穴５４に挿し込まれて、リンクアームＡ、Ｃが互いに回動可能に連結されている。
リンクアームＢの両端のピン５１、５２間の中央にも、貫通穴５４が設けられ、リンクアームＤと供に連結軸５７が貫通穴５４に挿し込まれて、リンクアームＢ、Ｄが互いに回動可能に連結されている。
【００２１】
リンクアームＣ、ＤはリンクアームＡ、Ｂと同一長さで、一端にピン穴５５と他端にピン５６を備えている。ピン穴５５とピン５６間の距離はリンクアームＡ、Ｂにおけるピン５１、５２間の距離と同一である。
リンクアームＣの一端のピン穴５５と他端のピン５６間の中央には、貫通穴５８が設けられ、リンクアームＡと供に連結軸５７が貫通穴５８に挿し込まれて、リンクアームＣ、Ａが互いに回動可動に連結されている。
リンクアームＤの一端のピン穴５５と他端のピン５６間の中央には、貫通穴５８が設けられ、リンクアームＢと供に連結軸５７が貫通穴５８に挿し込まれて、リンクアームＤ、Ｂが互いに回動可動に連結されている。
【００２２】
リンクアームＣ、Ｄのそれぞれ高位置端になるピン穴５５が玉受け通路部１０の支持ブロック部３５のピン３６（３６ａ、３６ｂ、３６ｃ、３６ｄ）に支持される。
リンクアームＣ、Ｄのそれぞれ低位置端になるピン５６は貯留部２０の長手方向に延びるリンクアームＥの両端に回動可能に連結し支持されている。
リンクアームＥは底壁４６上をスライドするが、リンクアームＥが支持するリンクアームＣ、Ｄのピン５６の位置は、リンクアームＡ、Ｂを支持するブロック部４８のピン穴４９と同一高さになるように設定されている。
【００２３】
底壁４６上のブロック部４８の近傍の前後方向には、スライドガイド６０が一体成型して設けられ、リンクアームＥを底壁４６の前後方向への動きを規制すると供に、貯留部２０の長手方向に案内する。
【００２４】
各リンクアームＡ〜Dは樹脂製で、図９に示すように、それぞれ幅方向において対をなす２部材からなっており、一対の各部材は幅方向に対称である。
すなわち、リンクアームＡ（Ａ１、Ａ２）の幅方向外側にリンクアームＣ（Ｃ１、Ｃ２）が重ねられ、連結軸５７で連結されている。
また、リンクアームＢ（Ｂ１、Ｂ２）の幅方向外側にリンクアームＤ（Ｄ１、Ｄ２）が重ねられ、連結軸５７で連結されている。
なお、各リンクアームが備えるピンは、いずれも当該リンクアームと一体成型されているものである。
【００２５】
リンクアームＡの低位置端とブロック部４８の連結部分であるリンクアームＡ１のピン５２は、ブロック部４８のピン穴４９に押し込んで嵌めこむものとなっている。リンクアームＡ２側も同様である。
【００２６】
図５でのリンクアームＣの高位置端と支持ブロック部３５の連結部分は、図９でのリンクアームＣ１のピン穴５５に、図１０での玉受け通路部１０の支持ブロック部３５のピン３６ａを押し込んで嵌めこむ。リンクアームＣ２側も同様に支持ブロック部３５のピン３６ｃを押し込んで嵌めこむ。
リンクアームＢ（Ｂ１、Ｂ２）とブロック部４８、リンクアームＤ（Ｄ１、Ｄ２）と支持ブロック部３５のピン３６ｂ、３６ｄの各連結部分も同様である。
【００２７】
図９に示すリンクアームＥは樹脂製で、リンクアームＣ（Ｃ１、Ｃ２）、Ｄ（Ｄ１、Ｄ２）の幅方向外側に重ねられる２部材Ｅ１およびＥ２を連結板部６７でつないで、一体成型されている。
連結板部６７上及び、当該連結板部６７近傍の底壁４６にはラッチ機構７０が配置されている。
ラッチ機構７０のラッチ本体７１が連結板部６７に取り付けられている。このラッチ本体７１に対向させて、底ベース板４５の底壁４６にキーパー７２が取り付けられている。
【００２８】
ラッチ機構７０はキーパー７２をラッチ本体７１に押し込むことによりロックし、ロック時と同方向にラッチ本体側へ再度押し込むことによりロック解除されるプッシュロック・プッシュオープンタイプである。
また、リンクアームＥに結合された、レバーアーム７６一端はケース５に設けたレバー窓７７を貫通して、その先端につまみ７８が取り付けられる。
【００２９】
以上のように構成された貯留玉受皿１では、自由状態では、玉受け通路部１０の自重及び玉受け通路部上に貯留される玉の重量により、図４、図６示すように、玉受け通路部が下端の降下位置にある。
このとき、それぞれ連結軸５７で連結されたリンクアームＡ、Ｃのリンク組およびリンクアームＢ、Ｄのリンク組は扁平状態に近く折りたたまれる。また、リンクアームＥ及びレバーアーム７６を介して結合されたつまみ７８は、先の図２に示されるように、そのストロークの右端位置にある。
この降下位置において、貯留部２０では数通路ユニット３の内部通路と連通する開口１４までの高さまで底面壁３０及び玉受け通路部１０上に玉を貯留することができる。
【００３０】
つぎに、開口１４までの高さまで玉が貯留されていない状態でも、つまみ７８を左方へ手でスライドさせると、リンクアームＥを介してリンクアームＣ、Ｄの下側のピン５６がブロック部４８によるリンクアームＡ、Ｂの支持位置（ピン５２）に近づけられることにより、リンクアームＡ、Ｃのリンク組およびリンクアームＢ、Ｄのリンク組がそれぞれ立ち上がって、玉受け通路部１０を持ち上げる。
このとき、玉受け通路部１０上の玉は、玉受け通路部１０の外周縁に設けた通路部１１の底面からの高さが略玉の直径と同じ高さの調節壁１３で保持された所定量の玉を持ち上げることとなり、前記調節壁１３で保持されなかった玉は、貯留部２０の底面壁３０側へ溢れ落ちる。また、前記調節壁１３の左右方向から溢れ落ちた玉は、玉受け通路部１０の左右側の貯留部２０に設けた玉受け溝部２１ａ、２１ｂで受け貯留部２０に貯留される。
これにより、玉受け通路部１０の棚部１６と通路部１１及びレール１２上の玉は、当該レール１２から開口１４を経て、当該開口１４と連通する計数通路ユニット３へ排出される。
【００３１】
つまみ７８を左方へスライドさせて、玉受け通路部１０に設けた調節壁１３で保持される所定量の玉を玉受け通路部１０で上昇させることとなるので、一回のつまみ７８のスライド動作によって計数される玉量を制限することが可能となり、つまみ７８のスライド動作の玉重量によるスライド動作への影響や、計数ユニット３での多量の玉流入による玉詰まりなどの不具合を回避することができる。
【００３２】
貯留部２０に貯留されている玉は、前記スライド動作による玉受け通路部１０の貯留位置である下降位置（図６参照）で、貯留部２０の底面壁３０から前記玉受け通路部１０上に受け入れ、非貯留位置である上昇位置（図８参照）で、玉受け通路部１０上玉は、傾斜した通路部１１とレール１２上面を転がって計数通路ユニット３で計数される。
つまり、前記玉受け通路部１０の下降位置と上昇位置の移動を、つまみ７８のスライド動作によって繰り返すことにより、貯留部２０内の玉を全て計数することが可能である。
【００３３】
さらに、図３のように、つまみ７８を左方のストローク端までスライドさせると、リンクアームＥに取り付けられたラッチ本体７１がキーパー７２をキャッチして、玉受け通路部１０が上昇位置にロックされる。この上昇位置では、玉受け通路部１０のレール１２が計数ユニット３と連通する位置となっているため、下皿８２から玉受け通路部１０上に排出される玉はすべて傾斜した通路部１１とレール１２の上面を転がって、計数通路ユニット３で計数される。
【００３４】
なお、ラッチ機構７０はプッシュロック・プッシュオープンタイプであるから、つまみ７８を左方のストローク端で再度左方へ押すことによりロック解除され、玉受け通路部１０は降下位置へ戻る。
玉受け通路部１０の上昇、下降の際、底面壁３０に一体に形成されたガイドピン（不図示）に沿って側壁１５に形成されたなガイド溝４２がスライドするので、玉受け通路部１０は異常な姿勢をとることなく、滑らかに上下する。
【００３５】
本実施の形態では、上下昇降装置５０が発明における移動手段を構成し、その上昇位置が非貯留位置に、降下位置が貯留位置に該当する。
また、計数通路ユニット３が通路ユニットに該当する。
【００３６】
実施の形態は以上のように構成され、ホッパ２が計数通路ユニット３に連通する通路部１１と、下皿から排出される玉を受ける貯留部２０とを有し、貯留部は、当該貯留部を玉を貯留する降下位置と、玉受け通路部１０のレール１２が計数ユニット３と連通する非貯留の上昇位置との間で上下移動可能な上下昇降装置５０とを備えているものとした。
これにより、貯留部２０を降下位置にしたときには下皿に加えてホッパ２の貯留部にも相当量の玉を貯留して、当り玉を誇示したいという欲求を満足させることができる。
【００３７】
一方、必要に応じて当り玉を計数したいときには、玉受け通路部１０を上昇位置とすることにより速やかに玉受け通路部１０の玉を計数通路ユニット３へ送ることができる。
なお、計数通路ユニット３側に玉詰まりや故障が生じたときにも、玉受け通路部１０を降下位置にすることにより貯留容量を大きくできるから、従来のホッパの容量が少なくて直ぐ満杯になり、下皿から排出不可となって当り玉の下皿への排出も止まってしまうというような状況も回避される。
【００３８】
上下昇降装置５０はとくに貯留部２０の一部を成す玉受け通路部１０を上下移動させるので、容易に貯留部２０の容量を大きく変化させることができ、玉受け通路部１０を降下位置にしたときにとくに多量の玉を貯留することができる。
また、上下昇降装置５０には、そのリンクアームＥに結合されてケース５を貫通するレバーアーム７６の先端につまみ７８を設けて、パチンコ台の前面から操作可能となっているので、玉受け通路部１０の上下移動操作が容易である。
【００３９】
また、上下昇降装置５０にはラッチ機構７０を付設して、玉受け通路部１０の上昇位置を保持することができるので、当り玉を計数したいときに何時までも手でつまみに力を加えておく必要がなく、遊技客を操作労力から解放できる。
【００４０】
玉受け通路部１０に設けた側壁１５のガイド溝４２が、底面壁３０に一体に形成されたガイドピン（不図示）案内と相俟って、玉受け通路部１０の作動がとくに滑らかである。
また、玉受け通路部１０の通路部１１とレール１２は計数通路ユニット３へ下るように傾斜しているので、玉受け通路部１０を上昇位置としたときには、他に特段の操作をしなくても、玉受け通路部１０上の玉のすべて計数通路ユニット３へ移すことができる。
【００４１】
なお、実施の形態ではホッパ２内の貯留部２０の一部を成す玉受け通路部１０のみを上下させて非貯留位置あるいは貯留位置に移動させる構成や、調節壁１３の高さを略玉の直径と同じとしたが、本発明はこれに限定されない。例えば計数通路ユニット３の計数能力に応じて、玉受け通路部１０の大きさや、調節壁１３の高さを変え一度に計数する玉量を増減させる構成するなど、その他適宜に変形可能である。
【図面の簡単な説明】
【００４２】
【図１】実施の形態にかかる貯留玉受皿が取り付けられたパチンコ台を示す図である。
【図２】実施の形態にかかる貯留玉受皿部分を拡大して、玉受け通路部が下降位置を示す外観斜視図である。
【図３】実施の形態にかかる貯留玉受皿部分を拡大して、玉受け通路部が上昇位置を示す外観斜視図である。
【図４】玉受け通路部が下降位置とした、貯留部の構成を示す縦断面図である。
【図５】玉受け通路部が上昇位置とした、貯留部の構成を示す縦断面図である。
【図６】玉受け通路部が下降位置とし、玉を貯留した状態の貯留部の構成を示す横断面図である。
【図７】玉受け通路部が上昇位置とし、下皿からの玉を受ける状態の貯留部の構成を示す横断面図である。
【図８】玉受け通路部が上昇位置とし、貯留されている玉を計数通路ユニットへ移動する状態の貯留部の構成を示す横断面図である。
【図９】ケース及び、玉受け通路部を取り外してホッパ内の上下昇降装置を示す斜視図である。
【図１０】玉受け通路部の裏面を示す斜視図である。
【符号の説明】
【００４３】
１    貯留玉受皿
２    ホッパ
３    計数通路ユニット
５    ケース
６    側壁
６ａ    内壁
１０    玉受け通路部
１２    レール
１３    調節壁
１４    開口
１５    側壁
１６    棚部
２０    貯留部
２１ａ  玉受け溝部
２１ｂ  玉受け溝部
３０    底面壁
３５    支持ブロック部
３６ａ、３６ｂ、３６ｃ、３６ｄ    ピン
３８、３８ａ、３８ｂ、３８ｃ、３８ｄ    スライドガイド
４２    ガイド溝
４５    底ベース板
４６    底壁
４８    ブロック部
４９    ピン穴
５０    上下昇降装置
５１    ピン
５２    ピン
５４    貫通穴
５５    ピン穴
５６    ピン
５７    連結軸
５８    貫通穴
６０    スライドガイド
６７    連結板部
７０    ラッチ機構
７１    ラッチ本体
７２    キーパー
７６    レバーアーム
７７    レバー窓
７８    つまみ
８１    上皿
８２    下皿
８５    台間ユニット
Ａ、Ａ１、Ａ２、Ｂ、Ｂ１、Ｂ２    リンクアーム
Ｃ、Ｃ１、Ｃ２、Ｄ、Ｄ１、Ｄ２、Ｅ、Ｅ１、Ｅ２    リンクアーム
Ｐ    玉（パチンコ玉）
【図１】
0005022849.tif 000002
【図２】
0005022849.tif 000003
【図３】
0005022849.tif 000004
【図４】
0005022849.tif 000005
【図５】
0005022849.tif 000006
【図６】
0005022849.tif 000007
【図７】
0005022849.tif 000008
【図８】
0005022849.tif 000009
【図９】
0005022849.tif 000010
【図１０】
0005022849.tif 000011